(57)【要約】【課題】常に高効率な電力変換効率を有する動作を可能とする制御装置を提供する。【解決手段】機器の動作モードに応じて位相数を決定する位相数決定手段と、位相数に応じて、互いに位相の異なる直流電流を出力する複数の直流・直流変換手段と、動作モードに応じて、複数の直流・直流変換手段の中から前記直流電流を出力する直流・直流変換手段を選択する選択手段と、選択された直流・直流変換手段から出力される直流電流により機器を所定の動作モードへ移行させるモード移行手段と、を含む。【選択図】図２
2014036515.tif 000002
【特許請求の範囲】
【請求項１】
機器の動作モードに応じて位相数を決定する位相数決定手段と、
前記位相数に応じて、互いに位相の異なる直流電流を出力する複数の直流・直流変換手段と、
前記動作モードに応じて、前記複数の直流・直流変換手段の中から前記直流電流を出力する直流・直流変換手段を選択する選択手段と、
前記選択された直流・直流変換手段から出力される直流電流により前記機器を所定の動作モードへ移行させるモード移行手段と、
を含むことを特徴とする制御装置。
【請求項２】
前記機器が省電力モードで動作するとき、独立して直流電流を出力する省電力モード用直流・直流変換手段をさらに含み、前記複数の直流・直流変換手段は、前記機器が省電力モードで動作するとき、前記直流電流を出力しないことを特徴とする請求項１に記載の制御装置。
【請求項３】
前記機器が省電力モードで動作するとき、前記位相数は零であることを特徴とする請求項２に記載の制御装置。
【請求項４】
前記機器が省電力モードから定格出力モードへ移行するに従って、前記位相数が増加することを特徴とする請求項２に記載の制御装置。
【請求項５】
前記直流電流を出力しない直流・直流変換手段の出力を検出する帰還検出手段をさらに含み、前記帰還検出手段は、グランドに接続されることを特徴とする請求項１から４の何れか１項に記載の制御装置。
【請求項６】
機器の動作モードに応じて位相数を決定する位相数決定手段と、
前記位相数に応じて、互いに位相の異なる直流電流を出力する複数の直流・直流変換手段と、
前記動作モードに応じて、前記複数の直流・直流変換手段の中から前記直流電流を出力する直流・直流変換手段を選択する選択手段と、
前記選択された直流・直流変換手段から出力される直流電流により前記機器を所定の動作モードへ移行させるモード移行手段と、
を有する制御装置を含むことを特徴とする画像形成装置。
【請求項７】
前記機器が省電力モードで動作するとき、独立して直流電流を出力する省電力モード用直流・直流変換手段をさらに含み、前記複数の直流・直流変換手段は、前記機器が省電力モードで動作するとき、前記直流電流を出力しないことを特徴とする請求項６に記載の画像形成装置。
【請求項８】
前記機器が省電力モードで動作するとき、前記位相数は零であることを特徴とする請求項７に記載の画像形成装置。
【請求項９】
前記機器が省電力モードから定格出力モードへ移行するに従って、前記位相数が増加することを特徴とする請求項７に記載の画像形成装置。
【請求項１０】
前記直流電流を出力しない直流・直流変換手段の出力を検出する帰還検出手段をさらに含み、前記帰還検出手段は、グランドに接続されることを特徴とする請求項６から９の何れか１項に記載の画像形成装置。
【発明の詳細な説明】
【技術分野】
【０００１】
本発明は、制御装置及び画像形成装置に関する。
【背景技術】
【０００２】
近年の節電意識の高まりを考えると、家電製品のみならず、オフィス機器においても、エコロジー、低消費電力、低炭素排出量を指標として導入する製品を選ぶ風潮が強くなっている。しかし、消費電力の多寡は最大値や最小値を比べただけでは実質的な差が分からないのが現状である。
【０００３】
そこで、財団法人省エネルギーセンターでは、各電気機器の標準的な消費電力量の目安となるＴＥＣ（Typical Electricity Consumption）値を公表し、省エネ性能の違いを測る指数としている。プリンタ／複合機の場合、ＴＥＣ値は、平日５日を稼動時間とスリープ／オフ状態の繰り返し、休日２日をスリープ／オフ状態という平均的なオフィスの利用形態を想定して、その製品の仕様や消費電力等に基づいて算出している。
【０００４】
すなわち、プリンタ／複合機においては、省エネモードから定格出力モードまで高効率で平坦なエネルギー供給が必要になってきている。ここで、現在のマルチファンクションプリンタの電源構成は図８に示すようになっている。図８は、従来のマルチファンクションプリンタの電源を構成するノーマルなスイッチング電源のブロック図である。この電源構成では、ＤＣ２４Ｖが主電源回路でモータ等を駆動している。また、ＤＣ５．１Ｖが補助電源回路でマイコン等を駆動している。ＤＣ５．１ＶＸは省エネ専用電源である。
【０００５】
特許文献１には、マルチフェーズ型ＤＣ（Direct Current）／ＤＣコンバータ回路が開示されている。複数相のスイッチを用いてスイッチング動作を行い、１つの負荷へ１つのＤＣ出力電圧を供給するＤＣ／ＤＣコンバータがある。このように複数相のスイッチを有するＤＣ／ＤＣコンバータは、マルチフェーズ型ＤＣ／ＤＣコンバータと呼ばれる。
【０００６】
このようなマルチフェーズ型ＤＣ／ＤＣコンバータは、例えば、ＣＰＵ（中央演算処理装置：Central Processing Unit）の電源装置として使用される。従来のマルチフェーズ型ＤＣ／ＤＣコンバータにおいては、一度フェーズ数を決定してしまうと、そのフェーズ数は固定されてしまい変更することができない構造となっている。しかしながら、実際の電力変換効率は、高負荷になればなる程、フェーズ数のより多い回路の方が高効率となり、低負荷時にはフェーズ数がより少ない回路の方が高効率となる。
【発明の概要】
【発明が解決しようとする課題】
【０００７】
一般的に、電源システムは図８に示すように単相構成であり、最大定格出力付近に電力変換効率（以後、単に「効率」という。）のピークがあり、出力電力が小さくなると効率が低下し、さらに、図９に示すように省エネ出力１Ｗ−３Ｗでは効率が２０−３０％まで低下する。図９は、従来のノーマルなスイッチング電源の省エネモードの効率について説明する図である。また、最大定格出力から省エネ出力までの広範囲で高効率駆動を保証する電源供給システムは、図１０に示すように、主電源系（１）と補助電源系（２）に加えて別途省エネ電源系（３）を有している。図１０は、従来の高効率駆動を保証した電源供給システムの構成を表すブロック図である。
【０００８】
図１０において、最大定格出力を供給する時は、主電源系（１）、補助電源系（２）、及び省エネ電源系（３）のすべての電源を駆動させ、省エネ出力の際には、主電源系（１）と補助電源系（２）とを遮断して、省エネ電源系（３）のみを駆動させることにより、図１１に示すように、最大定格出力から省エネ出力に至る広範囲の出力において、高い効率（７０％−８０％）を維持している。図１１は、従来の高効率駆動を保証した電源供給システムの効率について説明する図である。
【０００９】
しかしながら、このような単相電源システムにおいては、さらなる高効率化や、軽負荷から定格負荷に至るまでの広範囲の効率を平坦化することは大変難しい。一方、一般的な多相化構成であるマルチフェーズシステムは、電流は１７０Ａ近く流れる大電流であり、電圧降下は５ｍＶから１０ｍＶ、電流の立ち上がりのスルーレート（最大応答速度）が１００Ａ／ｎｓであるＭＰＵ（Micro Processing Unit）の大容量化に対応するよう構成されており、全電源が駆動することを前提として、いかに全出力時の効率を向上させるかを目的としており、省エネモード時の軽負荷時の効率については考慮されていない。
【００１０】
また、特許文献１に開示された従来のマルチフェーズ型ＤＣ／ＤＣコンバータでは、フェーズ数が固定されており、フェーズ数が固定されてしまうと、電力変換効率が負荷の大きさに依存してしまうため、常時最大の効率を得ることは不可能となり、低負荷から高負荷に至る広い範囲で高い効率の電力変換効率を得ることができないという問題がある。
【００１１】
そこで、本発明は、上記従来の問題点に鑑みてなされたもので、マルチフェーズ型ＤＣ／ＤＣコンバータにおいて、出力負荷の大きさに応じて動作フェーズ数が切り替わる回路、及び回路の周囲温度の変化に応じて動作フェーズ数が切り替わる回路を設けることにより、常に高効率な電力変換効率を有する動作を可能とする制御装置及び画像形成装置を提供することを目的とする。
【課題を解決するための手段】
【００１２】
上記課題を解決するため、請求項１に記載の本発明における制御装置は、機器の動作モードに応じて位相数を決定する位相数決定手段と、前記位相数に応じて、互いに位相の異なる直流電流を出力する複数の直流・直流変換手段と、前記動作モードに応じて、前記複数の直流・直流変換手段の中から前記直流電流を出力する直流・直流変換手段を選択する選択手段と、前記選択された直流・直流変換手段から出力される直流電流により前記機器を所定の動作モードへ移行させるモード移行手段と、を含むことを特徴とする。
【発明の効果】
【００１３】
本発明によれば、ＤＣ／ＤＣコンバータの回路トポロジーの１つであるフライバック回路では難しかった１００Ｗの高効率化を実現し、１Ｗから１００Ｗまでの間で略平坦な効率特性を実現し、省エネ時に高効率バッテリ駆動に切り替えることができることから省エネ時消費電力ゼロを実現し、熱分散を併せて行っているので放熱フィンや放熱ファンが不要である制御装置及び画像形成装置を得ることができる。
【図面の簡単な説明】
【００１４】
【図１】本発明の実施形態における制御装置のシステム構成を表す概略ブロック図である。
【図２】本発明の実施形態における制御装置について説明する詳細ブロック図である。
【図３】本発明の実施形態における制御装置のマイコンからの制御信号として、（ａ）位相制御、（ｂ）マルチフェーズＤＣ／ＤＣコンバータＤＣ１からＤＣ８の制御について説明する図である。
【図４】本発明の実施形態における制御装置の効率について説明する図である。
【図５】本発明の実施形態における制御装置において、コンバータ間の位相差を表す図であり、（ａ）３ｃｈマルチフェーズ駆動させた場合、（ｂ）８ｃｈマルチフェーズ駆動させた場合、を示す図である。
【図６】本発明の実施形態における制御装置のプロダクションプリンタ用５Ｖ電源の仕様について説明する図である。
【図７】本発明の実施形態における制御装置のＴＥＣ値について説明するための図である。
【図８】従来のマルチファンクションプリンタの電源を構成するノーマルなスイッチング電源のブロック図である。
【図９】従来のノーマルなスイッチング電源の省エネモードの効率について説明する図である。
【図１０】従来の高効率駆動を保証した電源供給システムの構成を表すブロック図である。
【図１１】従来の高効率駆動を保証した電源供給システムの効率について説明する図である。
【発明を実施するための形態】
【００１５】
次に、本発明を実施するための形態について図面を参照して詳細に説明する。なお、各図中、同一又は相当する部分には同一の符号を付しており、その重複説明は適宜に簡略化乃至省略する。本発明は、広範囲における効率を平坦にするために、一単位当たりの電力が小さい電源に損失分散させ、詳細には分散電源を作成し、省エネモードから定格出力に至るまで高効率状態が平坦な形状となる制御装置を構築している。具体的な制御は、デジタル論理により必要とされるマルチフェーズＤＣ／ＤＣコンバータの数を増減して駆動させるアップダウンマルチフェーズ制御装置である。各マルチフェーズＤＣ／ＤＣコンバータ同士は干渉しないよう位相差を設けて制御している。
【００１６】
図１は、本発明の実施形態における制御装置のシステム構成を表すブロック図である。図１において、ＡＣ（Alternating Current）／ＤＣコンバータ１は、商用ＡＣ交流電圧からＤＣ直流電圧を作る電源装置である。制御装置２は、位相（フェーズ）制御装置である。マイコン３は、制御装置２への指示と、ＤＣ／ＤＣコンバータ６から１２に対するＯＮ／ＯＦＦ指示を行う。
【００１７】
バッテリ４は、省エネ時に単独で駆動する場合もある。第１電源５は、省エネ専用ＤＣ／ＤＣコンバータである。そして、マルチフェーズ制御ＤＣ／ＤＣコンバータ６から１２は、マルチフェーズで制御されるＤＣ／ＤＣコンバータであり、帰還検出１３は、第１電源５からの出力を検出して帰還をかけることにより、安定した出力が得られる。
【００１８】
図２は、本発明の実施形態における制御装置について説明するブロック図である。図２において、ＩＣ１は、位相（フェーズ）制御ＩＣであり、マルチフェーズＤＣ／ＤＣコンバータであるＤＣ２からＤＣ８の位相を制御する。
【００１９】
ＩＣ２からＩＣ６はアナログスイッチであり、マルチフェーズＤＣ／ＤＣコンバータであるＤＣ２からＤＣ８をＯＮ／ＯＦＦし、マルチフェーズＤＣ／ＤＣコンバータのＤＣ２からＤＣ８のうち、使用しないマルチフェーズＤＣ／ＤＣコンバータの帰還系をグランド（ＧＮＤ）に接続し出力電圧を安定させる。ＤＣ１は省エネ専用ＤＣ／ＤＣコンバータであり、単独で駆動する。ＤＣ２からＤＣ８は、マルチフェーズＤＣ／ＤＣコンバータである。
【００２０】
本発明の実施形態における制御装置の動作について図３を用いて説明する。図３は、本発明の実施形態における制御装置のマイコンからの制御信号として、（ａ）位相制御、（ｂ）マルチフェーズＤＣ／ＤＣコンバータＤＣ１からＤＣ８の制御について説明する図である。まず、位相制御について説明すると、図３（ａ）に示すように、マイコン３（図２）からアナログスイッチＩＣ１の入力端子ＰＨ２´、ＰＨ１´、及びＰＨ０´に対して“Ｈ”又は“Ｌ”の信号を入力し、駆動する位相数（フェーズ数）を決定する。なお、省エネの場合は、すべての位相を停止させる。
【００２１】
次に、マルチフェーズＤＣ／ＤＣコンバータＤＣ１からＤＣ８の制御について説明すると、マイコン３（図１）から、アナログスイッチＩＣ２からＩＣ６の入力端子ＤＣ１´からＤＣ８´に対して“Ｈ”又は“Ｌ”の信号を入力する。図３（ｂ）は、左端に要求されるステージ及び出力パワーを示し、上段には使用するマルチフェーズＤＣ／ＤＣコンバータを示している。
【００２２】
例えば、最大９０Ｗの出力パワーを得るためには、６個のマルチフェーズＤＣ／ＤＣコンバータをマルチフェーズ制御する必要がある。すなわち、まず、図３（ａ）の位相制御として、マイコン３（図２）から位相（フェーズ）制御ＩＣ１の入力端子ＰＨ２´、ＰＨ１´、及びＰＨ０´に対して、それぞれ“Ｌ”、“Ｈ”、“Ｌ”を入力する。
【００２３】
次に、図３（ｂ）のマルチフェーズＤＣ／ＤＣコンバータＤＣ１からＤＣ８の制御として、マルチフェーズＤＣ／ＤＣコンバータＤＣ１からＤＣ８に対して、それぞれ、“Ｌ”、“Ｈ”、“Ｈ”、“Ｈ”、“Ｈ”、“Ｈ”、“Ｈ”、“Ｌ”を入力する。その結果、図４に示すように、電圧５Ｖ、出力電流１８Ａ、最大電力９０Ｗにおいて、効率８７．７％が出力される。図４は、本発明の実施形態における制御装置の効率について説明する図である。
【００２４】
次に、例えば、省エネモードの１．２５Ｗの出力パワーを得るためには、省エネコンバータであるＤＣ１の１個のＤＣ／ＤＣコンバータを単独駆動出力させる。まず、図３（ａ）の位相制御として、マイコン３（図２）から位相（フェーズ）制御ＩＣ１の入力端子ＰＨ２´、ＰＨ１´、及びＰＨ０´に対して、それぞれ、“Ｈ”、“Ｈ”、及び“Ｌ”を入力する。次に、図３（ｂ）のマルチフェーズＤＣ／ＤＣコンバータＤＣ１からＤＣ８の制御として、マルチフェーズＤＣ／ＤＣコンバータＤＣ１からＤＣ８に対して、それぞれ、“Ｈ”、“Ｌ”、“Ｌ”、“Ｌ”、“Ｌ”、“Ｌ”、“Ｌ”、“Ｌ”を入力する。その結果、図４に示すように、電圧５Ｖ、出力電流０．２５Ａ、省エネモード（１）１．２５Ｗにおいて、効率８７．９％が出力される。
【００２５】
図５は、本発明の実施形態における制御装置において、コンバータ間の位相差を表す図である。３ｃｈマルチフェーズ駆動させた場合と、８ｃｈマルチフェーズ駆動させた場合をそれぞれ示すものである。図５（ａ）のように、３ｃｈマルチフェーズ駆動の場合は、３６０°を３相に位相差制御を行っており、各ＤＣ／ＤＣコンバータは１２０°位相差を持って駆動している。
【００２６】
また、図５（ｂ）のように、８ｃｈマルチフェーズ駆動の場合は、３６０°を８相に位相差制御を行っており、各ＤＣ／ＤＣコンバータは４５°位相差を持って駆動している。なお、８ｃｈマルチフェーズ駆動の場合、オシロスコープのプローブが４ｃｈ分しかないので、４相分しか表示されていない。
【００２７】
図７は、本発明の実施形態における制御装置のＴＥＣ値について説明するための図である。図７に示すように、プリンタ／複合機の場合、平日５日を稼働時間とし、スリープ／オフの繰り返し状態、休日２日をスリープ／オフの繰り返し状態といった平均的なオフィスの利用形態を想定している。そして、その製品のスペックや消費電力等から算出される総合電力値（ＴＥＣ値）を改善するために、ジョブ時は勿論のこと、待機時やスリープ（省エネモード）時の電源の電力変換効率を向上させないとＴＥＣ値は良くならない。すなわち、従来の制御装置は、ジョブ時（定格出力）の効率向上の改善のみを行い、待機時やスリープ（省エネモード）時の小さな電力は元々消費電力が小さいので無視してきた経緯がある。
【００２８】
本発明の実施形態における制御装置によれば、図４に示すように消費電力１Ｗから１００Ｗに至るまで効率をほぼ平坦にすることができる。また、マルチフェーズＤＣ／ＤＣコンバータを増設すれば、さらなる電力増加が可能である。しかも、最大電力が増加しても軽負荷時の効率を維持することが可能である点が最大のポイントである。
【００２９】
図８に示した従来の単相型電源では、図９で説明したように最大電力時の電力を大きくすると軽負荷時の効率が低下するといった傾向があり、最近では図１０に示すように、定格負荷時と軽負荷時の専用電源を切り替えて使うことが多くなってきたが、図１１に示すように省エネ時の効率としては決して満足できるものではなかった。
【００３０】
本発明の実施形態における制御装置では、図２に示すように、省エネ専用ＤＣ／ＤＣコンバータであるＤＣ１、マルチフェーズＤＣ／ＤＣコンバータであるＤＣ２からＤＣ８、位相（フェーズ）制御ＩＣ１、アナログスイッチＩＣ２からＩＣ６を備え、すべて制御はマイコン３（図２）からＨ又はＬ（図３）のデジタル信号で行う。
【００３１】
図６は、本発明の実施形態における制御装置のプロダクションプリンタ用５Ｖ電源の仕様について説明する図である。図６のプロダクションプリンタ電源仕様で（１）最大出力時、（２）待機出力時、及び（３）省エネ出力時の操作を動作説明すると、図３（ａ）及び（ｂ）のようになり、図４の効率特性が得られる。
【００３２】
ＩＣ１は位相制御ＩＣであり、マルチフェーズＤＣ／ＤＣコンバータＤＣ２からＤＣ８がマルチフェーズ駆動時に、図５（ａ）、（ｂ）に示したように重複しないよう位相差を持って駆動することにより、互いのコンバータの干渉を防いでいる。ＩＣ２からＩＣ６はアナログスイッチであり、マルチフェーズＤＣ／ＤＣコンバータＤＣ１からＤＣ８の各コンバータのＯＮ／ＯＦＦ制御と使用しないＤＣ／ＤＣコンバータの負帰還回路１３（図１）のＯＮ／ＯＦＦ制御を行っている。
【００３３】
なお、省エネ専用ＤＣ／ＤＣコンバータであるＤＣ１をＤＣ６Ｖ／５Ｖ変換にし、バッテリを１．５Ｖ×４で駆動可能にし、通常時は２４Ｖから充電、省エネ時はバッテリから供給することにより、見かけ上省エネ時ゼロ消費電力とすることも不可能ではない。駆動時に充電するので全体で２０Ａ程度消費するので、さらに０．２Ａが加算されても消費電力に大きな影響はもたらさない。うまく行けばＴＥＣ値が大きく向上する。
【００３４】
このように、本発明の実施形態における制御装置は、マルチフェーズ電源として、第１電源は省エネ専用ＤＣ／ＤＣコンバータであり、第１電源は他のＤＣ／ＤＣコンバータと比較して出力が小さく、軽負荷時の効率が良いＤＣ／ＤＣコンバータである。また、第１電源は他のＤＣ／ＤＣコンバータとは違いマルチフェーズ駆動していない、単独電源である。
【００３５】
また、本発明の実施形態における制御装置は、省エネ時はマルチフェーズ駆動を停止させ、他のＤＣ／ＤＣコンバータ、位相（フェーズ）制御ＩＣ（Integrated Circuit）、及びアナログスイッチもすべて停止させ、第１電源のみ駆動させている。この制御装置はバッテリも有しており、省エネ時はバッテリのみで駆動可能である。
【００３６】
なお、本発明に実施形態における制御装置は、画像形成装置やＭＦＰ（多機能周辺装置：Multifunction Peripheral）等のオフィス機器の高効率小型分散電源に適用される。ＭＦＰは、負荷範囲が０．２Ａから２０Ａと１００倍程度の広範囲であるため、負荷の大きさで自動的に動作フェーズを切り替えることは、大電流が流れているので負荷応答性が遅れると危険であり、ＭＦＰの通信機能によって出力電流を切り替える前に動作フェーズを切り替えている。
【００３７】
図７に示すように、ジョブ（定格出力）状態／レディ（待機出力）状態／スリープ（省エネ出力状態）において、使用電力が軽負荷から重負荷の広範囲にわたっている。しかもスリープ（０．２Ａ程度の軽負荷）状態が非常に長く、ＴＥＣ値を向上させるためには、ジョブ（２０Ａ程度）状態からスリープ（０．２Ａ程度）状態といった１００倍程度の負荷範囲の効率を高効率にしかも平坦に維持する必要がある。特に時間の長いスリープ状態において高効率にする必要がある。
【００３８】
従来のＭＦＰの電源は、図８で説明したシングルフェーズであり、軽負荷時の効率は、図９に示したように悪い（変換効率約２０から３０％程度）状態であった。図１０に示したように２コンバータ化して改善したとしてもて、図１１に示したように広範囲にわたって平坦な状態とはならない。特許文献１では、同じコンバータのマルチフェーズの総数を単純に減らしているが、本発明の実施形態のように１００倍程度の広範囲な負荷変動を有する場合、軽負荷時に高効率で駆動させるためには、省エネ（スリープ）専用ＤＣ／ＤＣコンバータ（ＤＣ１）が必要である。ＤＣ１は単独で駆動できるＤＣ／ＤＣコンバータであり、マルチフェーズＤＣ／ＤＣコンバータであるＤＣ２からＤＣ８に対して、アナログスイッチにより接続又は切り離しが可能である。
【００３９】
マルチフェーズＤＣ／ＤＣコンバータであるＤＣ２からＤＣ８は、マルチフェーズで駆動している。図４に示したように、出力電流４Ａから１９Ａの範囲ではマルチフェーズによって高効率駆動し、３Ａ以下では、マルチフェーズＤＣ／ＤＣコンバータであるＤＣ２からＤＣ８を切り離し、省エネ専用ＤＣ／ＤＣコンバータＤＣ１が単独で駆動する。この場合、位相（フェーズ）制御ＩＣ１、及びアナログスイッチＩＣ２からＩＣ６も停止する。
【００４０】
０．２Ａのような極小電力の高効率駆動状態においては、位相制御ＩＣ１の消費電力も効率に影響する。場合によっては、省エネ時はバッテリ源を利用して降圧比を小さくすることが考えられ、例えば現在のＤＣ２４Ｖ／５Ｖ変換を、ＤＣ６Ｖ／５Ｖ変換にすることによって、さらなる高効率化を達成することができる。
【００４１】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００４２】
１    ＡＣ／ＤＣコンバータ
２    制御装置
３    マイコン
４    バッテリ
５    第１電源
６、７、８、９、１０、１１、１２    マルチフェーズ制御ＤＣ／ＤＣコンバータ
１３    帰還検出
【先行技術文献】
【特許文献】
【００４３】
【特許文献１】特開２００７−１１６８３４号公報
【図１】
2014036515.tif 000003
【図２】
2014036515.tif 000004
【図３】
2014036515.tif 000005
【図４】
2014036515.tif 000006
【図５】
2014036515.tif 000007
【図６】
2014036515.tif 000008
【図７】
2014036515.tif 000009
【図８】
2014036515.tif 000010
【図９】
2014036515.tif 000011
【図１０】
2014036515.tif 000012
【図１１】
2014036515.tif 000013